(57)【要約】【課題】プレゼンテーションを行う説明者等の被評価者及び評価者の双方のスケジュール等を調整することなく、簡易且つ迅速に評価者にその評価を求めることができると共に、その評価も迅速且つ客観的に行うことができるプレゼンテーション評価装置等を提供すること。【解決手段】プレゼンテーションとして説明する対象事項を表示するスライド情報と、対象事項を説明している被評価者自身を撮像した撮像情報と、被評価者の説明内容に関し発声された音声情報と、対象事項に関連し、既に評価情報と関連付けて記憶されている他のスライド情報５３と、を評価者の評価者端末装置１０ｂに送信すると共に、評価者端末装置を介して入力された評価情報を記憶するプレゼンテーション評価装置４０。【選択図】  図１
2017224052.tif 000002
【特許請求の範囲】
【請求項１】
プレゼンテーションとして説明する対象事項を表示するスライド情報と、
少なくとも、前記対象事項を説明している被評価者自身を撮像した撮像情報と、
前記被評価者の説明内容に関し発声された音声情報と、
前記対象事項に関連し、既に評価情報と関連付けて記憶されている他のスライド情報と、を評価者の端末装置である評価者端末装置に送信すると共に、前記評価者端末装置を介して入力された評価情報を記憶する構成となっていることを特徴とするプレゼンテーション評価装置。
【請求項２】
前記撮像情報に基づいて、撮像された被評価者の目の視線角度情報を生成し、前記視線角度情報の適否を判断し、その判断結果情報を前記スライド情報、前記撮像情報、前記音声情報及び前記他のスライド情報と共に前記評価者端末装置に送信する構成となっていることを特徴とする請求項１に記載のプレゼンテーション評価装置。
【請求項３】
被評価者が前記スライド情報に対してマーク形成具で指し示した部分である指示部分情報を記憶し、前記指示部分情報を、前記評価者端末装置に送信する構成となっていることを特徴とする請求項１又は請求項２に記載のプレゼンテーション評価装置。
【請求項４】
前記音声情報に含まれる重要単語の出現情報と、それに対応する時刻情報を関連付けて記憶し、前記重要単語の出現頻度に基づいて、説明内容の展開の妥当性を判断し、かかる説明内容展開妥当性情報を前記評価者端末装置に送信する構成となっていることを特徴とする請求項１乃至請求項３のいずれか１項に記載のプレゼンテーション評価装置。
【請求項５】
前記音声情報に含まれる特定語句の所定時間内における出現率情報に基づいて、文章の不明確性を判断し、かかる不明確性の判断情報を前記評価者端末装置に送信する構成となっていることを特徴とする請求項１乃至請求項４のいずれか１項に記載のプレゼンテーション評価装置。
【請求項６】
前記被評価者が操作する端末である被評価者端末装置と、
前記評価者端末装置と、を有し、
前記被評価者端末装置と前記評価者端末装置と通信可能に接続されている請求項１乃至請求項５のいずれか１項に記載の前記プレゼンテーション評価装置を備えることを特徴とするプレゼンテーション評価システム。
【請求項７】
コンピュータを、プレゼンテーションとして説明する対象事項を表示するスライド情報と、
少なくとも、被評価者自身を撮像した撮像情報と、
前記被評価者の説明内容に関し発声された音声情報と、
前記対象事項に関連し、既に評価情報と関連付けて記憶されている他のスライド情報と、を評価者の端末装置である評価者端末装置に送信するように機能させると共に、前記評価者端末装置を介して入力された評価情報を記憶するように機能させるためのプレゼンテーション評価プログラム。
【請求項８】
プレゼンテーションとして説明する対象事項を表示するスライド情報と、
少なくとも、前記対象事項を説明している被評価者自身を撮像した撮像情報と、
前記被評価者の説明内容に関し発声された音声情報と、
前記対象事項に関連し、既に評価情報と関連付けて記憶されている他のスライド情報と、を評価者の端末装置である評価者端末装置に送信すると共に、前記評価者端末装置を介して入力された評価情報を記憶する構成となっていることを特徴とするプレゼンテーション評価装置の制御方法。
【発明の詳細な説明】
【技術分野】
【０００１】
本発明は、プレゼンテーションを評価するプレゼンテーション評価装置、プレゼンテーション評価システム、プレゼンテーション評価プログラム及びプレゼンテーション評価装置の制御方法に関するものである。
【背景技術】
【０００２】
従来、スライド等を使用して対象者に特定内容を説明するプレゼンテーションについては、このプレゼンテーションを支援するための各種の提案がなされている（例えば、特許文献１等）。
そして、プレゼンテーションを行う説明者は、実際にプレゼンテーションを行う前に同じ内容を説明する練習等を行うのが通例となっている。
このようなプレゼンテーションの練習は説明者のみで行っても改善点等が明確にならず、できれば当該プレゼンテーションの説明内容の改善点等を的確に指摘しうる指導者等が判断し、評価することが望ましい。
【先行技術文献】
【特許文献】
【０００３】
【特許文献１】特開２００５―２４３０２７号公報
【発明の概要】
【発明が解決しようとする課題】
【０００４】
しかし、プレゼンテーションの評価を指導者等の評価者に依頼するときは、双方のスケジュール等の調整が難しいというという問題がある。また、評価者が、プレゼンテーションを評価するときも、その評価は主観的な評価に偏り客観的な評価をし難いという問題もあった。
【０００５】
そこで、本発明は、プレゼンテーションを行う説明者等の被評価者及び評価者の双方のスケジュール等を調整することなく、簡易且つ迅速に評価者にその評価を求めることができると共に、その評価も迅速且つ客観的に行うことができるプレゼンテーション評価装置、プレゼンテーション評価システム、プレゼンテーション評価プログラム及びプレゼンテーション評価装置の制御方法を提供することを目的とする。
【課題を解決するための手段】
【０００６】
前記目的は、本発明によれば、プレゼンテーションとして説明する対象事項を表示するスライド情報と、少なくとも、前記対象事項を説明している被評価者自身を撮像した撮像情報と、前記被評価者の説明内容に関し発声された音声情報と、前記対象事項に関連し、既に評価情報と関連付けて記憶されている他のスライド情報と、を評価者の端末装置である評価者端末装置に送信すると共に、前記評価者端末装置を介して入力された評価情報を記憶する構成となっていることを特徴とするプレゼンテーション評価装置により達成される。
【０００７】
前記構成によれば、プレゼンテーションとして説明する対象事項（例えば、自社製品等）を表示するスライド情報と、説明者等の被評価者が対象事項（例えば、自社製品等）をスライドで説明する姿等の撮像情報と、その音声情報が説明者の上司等の評価者の評価者端末に送信される。
したがって、プレゼンテーションを行う説明者等である被評価者及び上司等の評価者の双方のスケジュール等を調整することなく、簡易且つ迅速に評価者にその評価を求めることができる。
また、上司等の評価者は、説明者等の被評価者が実際にプレゼンテーションの練習等を行っている映像等の撮像情報を視認し、同時に音声情報を聞きながら、そのプレゼンテーションの評価を行うことができる。したがって、より正確に判断をすることができる。
【０００８】
さらに、前記構成によれば、評価者端末へはスライド情報、撮像情報や音声情報のみならず、対象事項に関連し、既に評価情報と関連付けて記憶されている他のスライド情報も送信される構成となっている。
したがって、評価者が被評価者のプレゼンテーションを評価するとき、関連する他のスライドと、その評価等を参照することができるので、より客観的な評価を迅速に行うことができる。
そして、前記構成によれば、評価者の評価情報（コメント等）も記憶されるので、被評価者が自己の評価をいつでも知得することができるのみならず、他の被評価者のプレゼンテーションを評価するときにも、その評価情報を利用し、客観的な評価の資料とすることができる。
【０００９】
好ましくは、前記撮像情報に基づいて、撮像された被評価者の目の視線角度情報を生成し、前記視線角度情報の適否を判断し、その判断結果情報を前記スライド情報、前記撮像情報、前記音声情報及び前記他のスライド情報と共に前記評価者端末装置に送信する構成となっていることを特徴とする。
【００１０】
前記構成によれば、プレゼンテーションにおける被評価者の視線角度情報の適否を判断し、その判断結果情報を評価者端末に送信する構成となっている。
このため、評価者は被評価者がプレゼンテーション中に適切な視線を維持しているかい否かを判断し、これにより話し方の適切さを判断することができる。
【００１１】
好ましくは、被評価者が前記スライド情報に対してマーク形成具で指し示した部分である指示部分情報を記憶し、前記指示部分情報を、前記評価者端末装置に送信する構成となっていることを特徴とする。
【００１２】
前記構成によれば、指示部分情報を、評価者端末装置に送信する構成となっているので、評価者は、被評価者がマーク形成具で適切な部分を指し示したか否かを容易且つ適切に判断することができる。
【００１３】
好ましくは、前記音声情報に含まれる重要単語の出現情報と、それに対応する時刻情報を関連付けて記憶し、前記重要単語の出現頻度に基づいて、説明内容の展開の妥当性を判断し、かかる説明内容展開妥当性情報を前記評価者端末装置に送信する構成となっていることを特徴とする。
【００１４】
前記構成によれば、重要単語の出現頻度に基づいて、説明内容の展開の妥当性を判断する構成となっている。すなわち、例えば、重要単語の出現頻度が説明の後半で極端に少なくなったときは、説明のテーマ等が不適切で説明内容の展開が妥当でないと判断し、この説明内容展開妥当性情報を評価者端末装置に送信する構成となっている。このため、評価者は、説明内容の展開の妥当性も容易に判断することができる。
【００１５】
好ましくは、前記音声情報に含まれる特定語句の所定時間内における出現率情報に基づいて、文章の不明確性を判断し、かかる不明確性の判断情報を前記評価者端末装置に送信する構成となっていることを特徴とする。
【００１６】
前記構成によれば、音声情報に含まれる特定語句（例えば、「は」「が」等の主語に関する語句等）の所定時間内における出現率情報に基づいて、文章の不明確性（例えば、主語が不足している等）を判断し、かかる不明確性の判断情報（不明確説明情報）を評価者端末装置に送信する構成となっている。
したがって、評価者は、主語等か不足し、文章等として不明確な説明であるか否かを容易に判断することができる。
【００１７】
好ましくは、前記被評価者が操作する端末である被評価者端末装置と、前記評価者端末装置と、を有し、前記被評価者端末装置と前記評価者端末装置と通信可能に接続されている請求項１乃至請求項５のいずれか１項に記載の前記プレゼンテーション評価装置を備えることを特徴とするプレゼンテーション評価システム。
【００１８】
前記目的は、本発明によれば、コンピュータを、プレゼンテーションとして説明する対象事項を表示するスライド情報と、少なくとも、前記対象事項を説明している被評価者自身を撮像した撮像情報と、前記被評価者の説明内容に関し発声された音声情報と、前記対象事項に関連し、既に評価情報と関連付けて記憶されている他のスライド情報と、を評価者の端末装置である評価者端末装置に送信するように機能させると共に、前記評価者端末装置を介して入力された評価情報を記憶するように機能させるためのプレゼンテーション評価プログラムにより達成される。
【００１９】
前記目的は、本発明によれば、プレゼンテーションとして説明する対象事項を表示するスライド情報と、少なくとも、前記対象事項を説明している被評価者自身を撮像した撮像情報と、前記被評価者の説明内容に関し発声された音声情報と、前記対象事項に関連し、既に評価情報と関連付けて記憶されている他のスライド情報と、を評価者の端末装置である評価者端末装置に送信すると共に、前記評価者端末装置を介して入力された評価情報を記憶する構成となっていることを特徴とするプレゼンテーション評価装置の制御方法により達成される。
【発明の効果】
【００２０】
本発明は、プレゼンテーションを行う説明者等の被評価者及び評価者の双方のスケジュール等を調整することなく、簡易且つ迅速に評価者にその評価を求めることができると共に、その評価も迅速且つ客観的に行うことができるプレゼンテーション評価装置、プレゼンテーション評価システム、プレゼンテーション評価プログラム及びプレゼンテーション評価装置の制御方法を提供することができるという利点がある。
【図面の簡単な説明】
【００２１】
【図１】本発明のプレゼンテーション評価システムである例えば、プレゼンテーション教育補完システムの主な構成を示す概略図である。
【図２】図１の００１端末の主な構成を示す概略ブロック図である。
【図３】図１の管理サーバの主な構成を示す概略ブロック図である。
【図４】第１のサーバ側各種情報記憶部の主な内容を示す概略ブロック図である。
【図５】第２のサーバ側各種情報記憶部の主な内容を示す概略ブロック図である。
【図６】第３のサーバ側各種情報記憶部の主な内容を示す概略ブロック図である。
【図７】第４のサーバ側各種情報記憶部の主な内容を示す概略ブロック図である。
【図８】第５のサーバ側各種情報記憶部の主な内容を示す概略ブロック図である。
【図９】本システムの主な動作例を示す概略フローチャートである。
【図１０】本システムの主な動作例を示す他の概略フローチャートである。
【図１１】本システムの主な動作例を示す他の概略フローチャートである。
【図１２】本システムの主な動作例を示す他の概略フローチャートである。
【図１３】本システムの主な動作例を示す他の概略フローチャートである。
【発明を実施するための形態】
【００２２】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１は、本発明のプレゼンテーション評価システムである例えば、プレゼンテーション教育補完システム１の主な構成を示す概略図である。
図１に示すように、本システム１は、例えば、Ｗ製薬会社がプレゼンテーション評価装置である例えば、管理サーバ４０を有している。
また、本システム１は、Ｗ製薬会社に雇用されている医薬情報担当者である例えば、ＭＲ（Ｍｅｄｉｃａｌ  Ｒｅｐｒｅｓｅｎｔｉｖｅ）のＺ氏の端末である「００１端末」１０ａ（「被評価者端末装置」の一例）、ＭＲのＺ氏の上司であるＹ氏の端末である「００２端末」１０ｂ（「評価者端末装置」の一例）及びＭＲのＺ氏の同僚であるＭＲのＸ氏の端末である「００３端末」１０ｃを有している。
また、本実施の形態では、ＭＲを例に説明するが、本発明では、これに限らず、ＭＳＬ（Ｍｅｄｉｃａｌ  Ｓｃｉｅｎｃｅ  Ｌｉａｉｓｏｎ（メディカル・サイエンス・リエゾン））やＭＡ（Ｍｅｄｉｃａｌ  Ａｓｓｉｓｔａｎｔ（メディカルアシスタント））等も含まれる。
【００２４】
そして、管理サーバ４０、００１端末１０ａ、００２端末１０ｂ及び００３端末１０ｃは、それぞれ相互にインターネット網２、基地局３ａ、３ｂ、３ｃ等を介して通信可能に接続させている。
【００２５】
００１端末１０ａ、００２端末１０ｂ、００３端末１０ｃ（これらの端末の構成は同様であるため、以下、構成等を説明するときは、００１端末１０ａについてのみ説明する。）は、図１に示すように、ＭＲが携帯所持することが可能な小型の形状となっており、各種情報を表示する「端末側ディスプレイ１２ａ」、各種情報を入力する「端末側入力装置１４ａ」及び映像（ビデオ）や写真等を撮像する撮像装置である例えば、「カメラ１３ａ」等を有している。
【００２６】
図１に示す、００１端末１０ａ、００２端末１０ｂ、００３端末１０ｃ及び管理装置４０は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２７】
図２は、図１の００１端末１０ａの主な構成を示す概略ブロック図である。
図２に示すように、００１端末１０ａは、「端末側制御部１１ａ」を有し、端末側制御部１１ａは、図１の管理サーバ４０等と通信するための「端末側通信装置１５ａ」や上述の端末側ディスプレイ１２ａ、端末側入力装置１４ａ、カメラ１３ａを制御する。
また、端末側制御部１１ａは、ＭＲの音声情報等を取得する「マイクロフォン１６ａ」や音声等を出力する「スピーカ１７ａ」等も制御する。
さらに、図２に示す「端末側各種情報記憶部１８ａ」も制御する。
【００２８】
図３は、図１の管理サーバ４０の主な構成を示す概略ブロック図である。
図３に示すように、管理サーバ４０は、「サーバ側制御部４１」を有し、サーバ側制御部４１は、００１端末１０ａ等と通信するための「サーバ側通信装置４２」、各種情報を表示する「サーバ側ディスプレイ４３」、各種情報を入力するための「サーバ側入力装置４４」等を制御する。
また、サーバ側制御部４１は、図３に示す「第１のサーバ側各種情報記憶部５０」、「第２のサーバ側各種情報記憶部６０」、「第３のサーバ側各種情報記憶部７０」、「第４のサーバ側各種情報記憶部８０」及び「第５のサーバ側各種情報記憶部９０」を制御する。
【００２９】
図４乃至図８は、それぞれ「第１のサーバ側各種情報記憶部５０」、「第２のサーバ側各種情報記憶部６０」、「第３のサーバ側各種情報記憶部７０」、「第４のサーバ側各種情報記憶部８０」及び「第５のサーバ側各種情報記憶部９０」の主な内容を示す概略ブロック図である。これらの内容については後述する。
【００３０】
図９乃至図１３は、本システム１の主な動作例を示す概略フローチャートである。
本実施の形態では、Ｗ製薬会社のＭＲであるＺ氏が、自己の担当病院で自社製品（α降圧薬（「対象事項」に一例）についてプレゼンテーションを行うに際し、事前にプレゼンテーションの練習を行い、その様子を図１の００１端末１０ａのカメラ１３ａで撮像し、同時に音声もマイクロフォン１６ａを介して録音する。そして、これらのプレゼンテーションの様子を、Ｚ氏の上司であるＹ氏に示し、その評価を受け取る例を用いて、以下説明する。
なお、本実施の形態では、Ｚ氏のプレゼンテーションの様子は、同僚のＸ氏にも参考として提供される例となっている。
【００３１】
先ず、図９のステップ（以下「ＳＴ」とする。）１では、ＭＲであるＺ氏が、自己の練習用のスライド群のデータを自己の端末である図１の００１端末１０ａから管理サーバ４０へ送信する。
このスライド群は、例えば、Ｗ製薬会社が、自社の製品のプレゼンテーションをするための用意したスライド群をＭＲ（Ｚ氏）が選択等したものである。
【００３２】
例えば、以下のようなスライド群である。
１）スライド１：降圧薬の開発経緯（概要：１９５２年：交感神経抑制薬、１９６０年：利尿薬、１９７８年：β遮断薬、１９８２年Ｃａ拮抗薬、ＡＣＥ阻害薬、１９９８年ＡＲＢ薬）。
２）スライド２：降圧薬の長期使用後の副作用（概要：利尿薬は、糖・脂質代謝に対する影響、ＡＣＥ阻害薬は、咳、Ｃａ拮抗薬は歯肉増殖作用）。
３）スライド３：長期使用でも副作用の発生がより少ない薬剤が切望。
４）スライド４：「α降圧薬」は、従来と比べ副作用の発生が少ない。
【００３３】
次いで、ＳＴ２へ進む。ＳＴ２では、管理サーバ４０が、００１端末１０ａから受信した練習用のスライド群のデータを管理サーバ４０の図４の「練習用スライド群記憶部５１」に記憶する。
次いで、ＳＴ３へ進む。ＳＴ３では、ＭＲ（Ｚ氏）が、当該練習用スライド群の重要単語である例えば、「キーワード」を自己の端末（００１端末１０ａ）から管理サーバ４０へ送信する。
【００３４】
例えば、以下のようなキーワードを送信する。
１）スライド１については、「薬」。
２）スライド２については、「長期使用」及び「副作用」。
３）スライド３については、「長期使用」及び「副作用」。
４）スライド４については、「α降圧薬」。
５）スライド５については、「α降圧薬」及び「治験」。
６）スライド６については、「α降圧薬」及び「処方例」。
【００３５】
次いで、ＳＴ４へ進む。ＳＴ４では、００１端末１０ａから受信した練習用スライド群の「キーワード」を管理サーバ４０の図４の「キーワード記憶部５２」に記憶する。
【００３６】
また、スライド１乃至スライド６について、キーワードの登録が終わった後に、ＭＲ（Ｚ氏）が、さらに、追加のスライド７を登録するときは、当該スライド７は、「練習用スライド群記憶部６１」に登録される。
そのとき、既に、スライド１乃至スライド６についての「キーワード」が「キーワード記憶部５２」に記憶されているときは、以下のように、新たなスライド７の「キーワード」を推測して、「キーワード記憶部５２」に記憶する。
【００３７】
すなわち、スライド７に、スライド１乃至スライド６の登録された「キーワード」が存するか否かを判断する。そして、存在するときは、スライド１乃至スライド６における「キーワード」の出現頻度等の情報を取得する。
これらの情報から、スライド７のキーワードを推測し、スライド７のキーワード候補を
００１端末１０ａの端末側ディスプレイ１２ａに表示する。
そして、ＭＲ（Ｚ氏）は、このキーワード候補を参照しながら、スライド７の「キーワード」を特定し、「キーワード記憶部５２」に記憶することができる。
したがって、ＭＲ（Ｚ氏）は、追加のスライド７については、キーワードを入力する手間を大幅に軽減することができ、迅速かつ簡易にスライドのキーワードを登録することができる。
【００３８】
次いで、ＳＴ５へ進む。ＳＴ５では、図５の「関連チェック済み練習用スライド検索処理部（プログラム）６１」が動作し、図４の「キーワード記憶部５２」のキーワードに基づき、図４の「チェック済み練習用スライド群記憶部５３」のスライドを検索する。
【００３９】
この「チェック済み練習用スライド群記憶部５３」には、過去に他のＭＲがスライドを用いてプレゼンテーションの練習をし、その評価情報である上司等のコメント等の関連情報が関連付けられている「チェック済み練習用スライド群（「他のスライド情報」の一例）」が記憶されている。
なお、この「チェック済み練習用スライド群」については後述する。
【００４０】
そして、同プログラム６１は、所定数以上、同じ「キーワード」を含む「チェック済み練習用スライド群」のスライド群やスライドが存在するか否かを判断する。
【００４１】
そして、ＳＴ６で、所定数以上、同じ「キーワード」を含む「チェック済み練習用スライド群」のスライド群やスライドが存在すると判断したときは、ＳＴ７へ進む。
ＳＴ７では、所定数以上、同じ「キーワード」を含む「チェック済み練習用スライド群」のスライド群の識別番号やスライド番号等を図５の「関連チェック済み練習用スライド群記憶部６２」に記憶させる。
【００４２】
このように、本実施の形態では、今回、ＭＲ（Ｚ氏）が練習するスライド群に近似する内容を有するスライド群で、既に上司等の評価を受けているスライド群を参考情報として取得することができる。
【００４３】
次いで、ＭＲのＺ氏が、上述の練習用スライド群を用いてプレゼンテーションの練習を行い、その様子を００１端末１０ａのカメラ１３ａで撮像すると共に、その音声をマイクロフォン１６ａで取得する。
そして、ＳＴ８へ進む。ＳＴ８では、００１端末１０ａのカメラ１３ａ及びマイクロフォン１６ａが取得した「音声付き映像データ」と端末側ディスプレイ１２ａに表示されたスライド情報を管理サーバ４０へ送信する。
したがって、この音声付き映像データが、「撮像情報」と「音声情報」の一例となっている。
【００４４】
次いで、ＳＴ９へ進む。ＳＴ９では、管理サーバ４０が受信した「音声付き映像データ」とスライド情報を管理サーバ４０の図５の「音声付き映像情報等記憶部６３」に記憶する。
次いで、ＳＴ１０へ進む。ＳＴ１０では、図５の「視線角度推測処理部（プログラム）６４」が動作し、「音声付き映像情報等記憶部６３」の映像情報における「目の画像」を切り出して、図５の「視線角度基準情報記憶部６５」の「視線角度基準情報」と比較する。
この視線角度基準情報は、「目の画像」と「視線角度」の対応情報が記憶されている。すなわち、目の画像状態から、そのときの説明者がどのような視線角度となっていたかを判断することができる構成となっている。
【００４５】
そして、この「視線角度基準情報」から当該説明者の視線角度を推定し、その時刻情報（説明全体における時刻情報）と共に視線角度情報として、図６の「視線角度情報記憶部７１」に記憶する。
次いで、ＳＴ１１へ進む。ＳＴ１１では、図６の「視線角度異常状態判断処理部（プログラム）７２」が動作し、図６の「視線角度情報記憶部７１」の「視線角度情報」が図６の「視線角度異常基準情報記憶部７３」の「視線角度異常基準情報」に含まれるか否かを判断する。
【００４６】
すなわち、「視線角度異常基準情報」には、説明者の視線角度が好ましくないときの基準情報が記憶されており、この視線角度に含まれるときは、説明者の視線が好ましくないことが推定されることになる。
【００４７】
次いで、ＳＴ１２で、「視線角度情報」が「視線角度異常基準情報」に含まれると判断されたときは、ＳＴ１３へ進む。
ＳＴ１３では、当該「視線角度情報」を「異常視線角度情報」として「時刻情報」と共に図６の「異常視線角度情報記憶部７４」に記憶する。
【００４８】
したがって、説明者であるＭＲ（Ｚ氏）がプレゼンテーションで視線が好ましくなく、話し方が悪いときは、容易にかかる事実の参考情報を提供することができる。
【００４９】
次いで、ＳＴ１４へ進む。ＳＴ１４では、図６の「ポインターマーク処理部（プログラム）７５」が動作し、図５の「音声付き映像情報等記憶部６３」のスライド情報で「ポインター（「マーク形成具」の一例）」でスライドを示した画像が存在するか否かを判断する。
【００５０】
ＳＴ１５で、ポインターでスライドを示した画像が存在するときは、ＳＴ１６へ進む。
ＳＴ１６では、「ポンタ―情報」とし、ポインターで指し示したスライドの部分の座標軸情報と説明時間全体における時刻情報とを関連付けて、時刻情報、座標軸情報と共に図７の「ポインター情報記憶部８１」に記憶させる。
すなわち、この「ポインター情報」が指示部分情報の一例となっている。
【００５１】
このように、本実施の形態では、説明者であるＭＲ（Ｚ氏）がポインターで指し示したスライドの部分（スライド情報、座標軸情報及び時刻情報等）を記憶し、後述する評価に際し、参考資料を提供することが可能な構成となっている。
【００５２】
次いで、ＳＴ１７へ進む。ＳＴ１７では、図７の「キーワード出現状態判断処理部（プログラム）８２」が動作し、図５の「音声付き映像情報等記憶部６３」の「音声情報」に図４の「キーワード記憶部５２」の「キーワード」、例えば、スライド１のキーワード「薬」等が含まれているか否かを判断する。
【００５３】
次いで、ＳＴ１８で、「音声情報」に「キーワード」が含まれていると判断したときは、ＳＴ１９へ進む。ＳＴ１９では、キーワードの出現を「キーワード出現情報」として時刻情報と共に「キーワード出現情報記憶部８３」に記憶する。
【００５４】
次いで、ＳＴ２０へ進む。ＳＴ２０では、図７の「キーワード出現頻度情報生成処理部（プログラム）８４」が動作し、「キーワード出現情報記憶部８３」の「キーワード出現情報」の説明時間全体における時刻情報からスライドの説明の「序盤」「中盤」「終盤」におけるキーワードの出現頻度が所定の範囲内に収まるか否かを判断する。
【００５５】
すなわち、キーワードは所定の範囲内に収まる頻度で、説明が「序盤」「中盤」「終盤」と推移すれば、説明のテーマ等が大きく逸脱していないと判断し、逆にキーワードの出現頻度が「序盤」「中盤」「終盤」のいずれかで、所定の範囲に収まらず、例えば、大きく低下したときは、そのとき、説明のテーマ等が大きく逸脱した可能性があると判断することになる。
【００５６】
また、スライドの説明の「序盤」「中盤」「終盤」等の区別は、説明時間全体における時刻情報のみならず、音声情報の文言等やスライドのデータ等から判断することもできる。
例えば、「こちらは・・・を示しております」等の文言等が音声情報にあるときは、「序盤」と判断する。
また、スライドのデータが例えば、「ＰｏｗｅｒＰｏｉｎｔのノート部分」で内容であれば、スライドの内容と判断し、これを「中盤」とする。
さらに、「すなわち・・・ということです」等の文言等が音声情報にあるときは、「終盤」と判断する等である。
【００５７】
さらに、本実施の形態では、キーワードは所定の範囲内に収まる頻度で、説明が「序盤」「中盤」「終盤」と推移すれば、説明のテーマ等が大きく逸脱していないと判断し、逆にキーワードの出現頻度が「序盤」「中盤」「終盤」のいずれかで、所定の範囲に収まらず、例えば、大きく低下したときは、そのとき、説明のテーマ等が大きく逸脱した可能性があると判断することとしたが、本発明はこれに限らず、以下のように判断してもよい。
【００５８】
すなわち、「関連チェック済み練習用スライド群記憶部６２」を参照し、当該「チェック済み練習用スライド群記憶部５３」の評価の高い「チェック済み練習用スライド群」における「序盤」「中盤」「終盤」のキーワードの出現率を取得する。
そして、各「序盤」「中盤」「終盤」におけるキーワードの出現率と、ＭＲ（Ｚ氏）のスライドのキーワードの出現率とを比較し、説明のテーマ等が大きく逸脱しているか否かを判断する構成としても構わない。
【００５９】
ＳＴ２１で、キーワードの出現頻度が「序盤」「中盤」「終盤」で、所定の範囲内に収まっていないと判断されたときは、ＳＴ２２へ進む。
ＳＴ２２はでは、ＭＲ（Ｚ氏）の「説明の流れが不適切」と判断して、当該スライド（例えば、スライド１）番号等を「不適切説明スライド」として、図７の「不適切説明スライド記憶部８５」に記憶する。
【００６０】
すなわち、キーワードの出現頻度が「序盤」「中盤」「終盤」で、所定の範囲内に収まっていないと判断されたときは、説明のテーマ等が一貫しておらず、「説明の流れが不適切」と判断することになる。
したがって、「説明の流れが不適切」が、「説明内容の展開の妥当性情報」の一例となっている。
【００６１】
このように，本実施の形態では、説明者の説明のテーマ等が途中外れる等が生じる可能性があるときは，当該スライドの「説明の流れが不適切」として記憶し、上司等の評価の参考資料を提供する構成となっている。
【００６２】
次いで、ＳＴ２３へ進む。ＳＴ２３では、図８の「不明確説明情報判断処理部（プログラム）９１」が動作し、図５の「音声付き映像情報等記憶部６３」の「音声情報」に主語等の存在を示す特定語句である例えば、語句「が」「は」等の所定時間内の出現率が所定値以下か否かを判断する。
すなわち、例えば、語句「が」「は」等の所定時間内の出現率が所定値以下の場合は、著しく主語が不足している説明と判断し、説明が不明確となる可能性が高いと判断することになる。
【００６３】
次いで、ＳＴ２４で、語句「が」「は」等の所定時間内の出現率が所定値以下の場合は、ＳＴ２５へ進む。
ＳＴ２５では、当該スライド等（例えば、スライド１）の説明は主語等が不足して不明確であると判断し、当該スライド番号等を「不明確説明情報」として、図８の「不明確説明情報記憶部９２」に記憶する。
この「不明確説明情報」が、「不明確性の判断情報」の一例となっている。
【００６４】
したがって、本実施の形態では、説明者の説明が主語等の不足で不明確となる可能性が高いときは、そのスライド番号等を記憶し、上司等の評価の参考資料を提供する構成となっている。
なお、本実施の形態では、特定語句として主語を例に説明したが、本発明はこれに限らず、目的語や所謂「５Ｗ１Ｈ」等も同様に判断することができる。
【００６５】
次いで、ＳＴ２６へ進む。ＳＴ２６では、図８の「練習用スライド関連情報生成処理部（プログラム）９３」が動作し、図４の「練習用スライド群記憶部５１」、図５の「関連チェック済み練習用スライド群記憶部６１」、図５の「音声付き映像情報等記憶部６３」、図６の「異常視線角度情報記憶部７４」，図７の「ポインター情報記憶部８１」、図７の「不適切説明スライド記憶部８５」及び図８の「不明確説明情報記憶部９２」を参照する。
【００６６】
次いで、ＳＴ２７へ進む。ＳＴ２７では、「音声付き映像情報等記憶部６３」の「音声付き映像情報」と「スライド情報」、「関連チェック済み練習用スライド群記憶部６１」の「スライド群の識別番号やスライド番号等」、「異常視線角度情報記憶部７４」の「時刻情報」付き「異常視線角度情報」、「ポインター情報記憶部８１」の「時刻情報付き座標軸情報」、「不適切説明スライド記憶部８５」の「スライド（例えば、スライド１）番号等」及び「不明確説明情報記憶部９２」の「当該スライド番号」を関連付け「練習用スライド関連情報」として「練習用スライド関連情報記憶部９４」に記憶する。
【００６７】
したがって、ＭＲ（Ｚ氏）が練習として行ったプレゼンテーションの「音声付き映像情報」及び「スライド情報（ＭＲ（Ｚ氏）が説明したスライド情報）」に、以下の情報が関連付けられて「練習用スライド関連情報」となる。
１）「練習用スライド群」と関連する「関連チェック済み練習用スライド群」。
２）説明中にＭＲ（Ｚ氏）の視線が好ましくない「異常視線角度情報」。
３）ＭＲ（Ｚ氏）のスライドへのポインターの指し示す部分である「ポインター情報」。
４）ＭＲ（Ｚ氏）の「説明の流れが不適切」なスライド番号等の「不適切説明スライド」情報。
５）ＭＲ（Ｚ氏）の主語等の不足で不明確となる可能性の高いスライド番号等の「不明確説明情報」。
【００６８】
次いで、ＳＴ２８へ進む。ＳＴ２８では、図４の「送信先端末情報記憶部５４」の発信元端末（００１端末１０ａ（ＭＲ（Ｚ氏））に対応する「送信先端末１（００２端末０ｂ（上司（Ｙ氏）の端末）」や「送信先端末２（００３端末１０ｃ（同僚ＭＲ（Ｘ氏））の端末」に、図８の「練習用スライド関連情報記憶部９４」の「練習用スライド関連情報」を送信する。
【００６９】
次いで、ＳＴ２９へ進む。ＳＴ２９では、端末００２（上司（Ｙ氏）の端末）や端末００３（同僚ＭＲ（Ｘ氏）の端末）の端末側ディスプレイ１２ｂ、１３ｂの中央に「音声付き映像情報等記憶部」の「音声付き映像情報」及び「スライド情報」が表示され、音声は、スピーカ１７ｂ、１７ｃから出力される。
そして、「関連チェック済み練習用スライド群記憶部６２」の「スライド群の識別番号やスライド番号等」、「異常視線角度情報記憶部７４」の「時刻情報付き異常視線角度情報」、「ポインター情報記憶部８１」の「時刻情報付き座標軸情報」、「不適切説明スライド記憶部８５」の「スライド（例えば、スライド１）番号等」及び「不明確説明情報記憶部９２」の「スライド番号」のデータが存在するときは、「音声付き映像情報」及び「スライド情報」の映像の表示部分の外側に、それぞれの情報を示す「アイコン」が表示される。
【００７０】
そして、各アイコンをクリックすると、該当するデータが別ウインドウで、端末側ディスプレイ１２ｂ、１２ｃに表示される構成となっている。
したがって、ＭＲ（Ｚ氏）のプレゼンテーションを評価する上司のＹ氏は、「音声付き映像情報」及び「スライド情報」の映像の表示部分の外側に、表示される各「アイコン」を操作し、それぞれの情報を参照しながら、ＭＲ（Ｚ氏）のプレゼンテーションの評価情報である例えば、コメント等を入力する。
【００７１】
次いで、ＳＴ３０で、コメントが入力されたか否かを判断し、コメントが入力されたと判断されたときは、ＳＴ３１へ進む。
ＳＴ３１では、図８の「チェック済み練習用スライド群情報生成処理部（プログラム）９５」が動作し、「練習用スライド群記憶部５１」の「練習用スライド群」を、入力されたコメントと共に、「チェック済み練習用スライド群情報」として図４の「チェック済み練習用スライド群記憶部５３」に記憶する。
【００７２】
したがって、ＭＲ（Ｚ氏）は、自己の００１端末１０ａを介して管理サーバ４０へアクセスすることで、上司のＹ氏とのスケジュール調整をすることなく、そのプレゼンテーションのコメント等を知得することができる。
また、同様に同僚のＭＲのＸ氏のコメント等も取得することができる。
【００７３】
さらに、コメントを入力する上司（Ｙ氏）は、ＭＲ（Ｚ氏）のプレゼンテーションの映像と音声を見ながら，上述の各種参考情報をアイコン操作しながら参照することができるので、より客観的なコメント等を付与することができる。
【００７４】
そして、この上司（Ｙ氏）が付与したコメント付きのＭＲ（Ｚ氏）のスライド群は、「チェック済み練習用スライド群情報」として記憶されるので、このコメントも将来の評価に際し、参考とすることができ、コメントの精度がより向上することになる。
【００７５】
なお、本発明は上述の実施の形態に限らず、以下のようにしても構わない。
ＭＲ（Ｚ氏）がスライドの説明を終了し、「音声付き映像データ」等をサーバに送信する前に、００１端末１０ａから例えば、以下の設問が出力される。
例えば、「治療薬αを利用しているが、それとの違いは？」や「主な副作用の発現率は添付文書でわかったけど、発現時期で早いのはどれ？」などである。
そして、これらの設問に対するＭＲ（Ｚ氏）の回答内容や説明態度等の音声付き映像データを管理サーバ４０に送信し、これらは管理サーバ４０で分析され、その分析結果情報は、００１端末１０ｂ等に送信される。
これらの設問情報は、例えば、管理サーバ４０が、「練習用スライド群記憶部５１」の練習用スライド群の用語等を抽出し、予め、これらの用語等と関連付けられている設問情報を選択し、００１端末１０ａ等に送信する構成となっている。
また、この設問選択等の機能が、管理サーバ４０ではなく、００１端末１０ａで発揮される構成としても構わない。
また、本実施の形態では、主な処理を管理サーバ４０側で実行しているが、本発明では、これに限らず、例えば、００１端末１０ａ等で、管理サーバ４０の処理を実行しても構わない。
【符号の説明】
【００７６】
１・・・プレゼンテーション教育補完システム、２・・・インターネット網、３ａ、３ｂ、３ｃ・・・基地局、１０ａ・・・００１端末、１０ｂ・・・００２端末、１０ｃ・・・００３端末、１１ａ・・・端末側制御部、１２ａ・・・端末側ディスプレイ、１３ａ・・・カメラ、１４ａ・・・端末側入力装置、１５ａ・・・端末側通信装置、１６ａ・・・マイクフォン、１７ａ・・・スピーカ、１８ａ・・・端末側各種情報記憶部、４０・・・管理サーバ、４１・・・サーバ側制御部、４２・・・サーバ側通信装置、４３・・・サーバ側ディスプレイ、４４・・・サーバ側入力装置、５０・・・第１のサーバ側各種情報記憶部、５１・・・練習用スライド群記憶部、５２・・・キーワード記憶部、５３・・・チェック済み練習用スライド群記憶部、５４・・・送信先端末情報記憶部、６０・・・第２のサーバ側各種情報記憶部、６１・・・関連チェック済み練習用スライド検索処理部（プログラム）、６２・・・関連チェック済み練習用スライド群記憶部、６３・・・音声付き映像情報等記憶部、６４・・・視線角度推測処理部（プログラム）、６５・・・視線角度基準情報記憶部、７０・・・第３のサーバ側各種情報記憶部、７１・・・視線角度情報記憶部、７２・・・視線角度異常状態判断処理部（プログラム）、７３・・・視線角度異常基準情報記憶部、７４・・・異常視線角度情報記憶部、７５・・・ポインターマーク処理部（プログラム）、８０・・・第４のサーバ側各種情報記憶部、８１・・・ポインター情報記憶部、８２・・・キーワード出現状態判断処理部（プログラム）、８３・・・キーワード出現情報記憶部、８４・・・キーワード出現頻度情報生成処理部（プログラム）、８５・・・不適切説明スライド記憶部、９０・・・第５のサーバ側各種情報記憶部、９１・・・・不明確説明情報判断処理部（プログラム）、９２・・・不明確説明情報記憶部、９３・・・練習用スライド関連情報生成処理部（プログラム）、９４・・・練習用スライド関連情報記憶部、９５・・・チェック済み練習用スライド群情報生成処理部（プログラム）
【図１】
2017224052.tif 000003
【図２】
2017224052.tif 000004
【図３】
2017224052.tif 000005
【図４】
2017224052.tif 000006
【図５】
2017224052.tif 000007
【図６】
2017224052.tif 000008
【図７】
2017224052.tif 000009
【図８】
2017224052.tif 000010
【図９】
2017224052.tif 000011
【図１０】
2017224052.tif 000012
【図１１】
2017224052.tif 000013
【図１２】
2017224052.tif 000014
【図１３】
2017224052.tif 000015